【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
無線通信システムにおいて肯定応答メッセージを送信するための方法であって、
送信機から第２の信号を受信する前に第１の信号を受信することと、
復号された第１のデータを前記第１の信号から抽出することと、
前記復号された第１のデータを符号化及び変調することによって第３の信号を生成することと、
前記第２の信号を復調して第２のシンボルを生成することと、
前記第３の信号を前記第２のシンボルと相関させること、とを備え、
前記第３の信号および前記第２のシンボルは、異なる時間に受信された異なる信号から得られる、無線通信システムにおいて肯定応答メッセージを送信するための方法。
【請求項２】
前記復号された第１のデータがデータ検査に合格した場合は肯定応答メッセージを前記送信機に送信することをさらに備える請求項１に記載の方法。
【請求項３】
前記相関が予め定義されたスレショルドを上回るかどうかを決定することをさらに備える請求項２に記載の方法。
【請求項４】
前記相関が前記予め定義されたスレショルドを上回る場合は前記肯定応答メッセージを前送信機に再送信することをさらに備える請求項３に記載の方法。
【請求項５】
前記相関が前記予め定義されたスレショルドを上回らない場合は、
前記第２のシンボルを復号することと、
前記復号された第２のシンボルに対するデータ検査を行うことと、
前記復号された第２のシンボルが前記データ検査に合格した場合は第２の肯定応答メッセージを前記送信機に送信することと、
前記復号された第２のシンボルが前記データ検査に合格しない場合は否定応答メッセージを送信すること、とをさらに備える請求項３に記載の方法。
【請求項６】
前記抽出することは、前記第１の信号を復調することと復号することとを備える請求項１に記載の方法。
【請求項７】
前記生成することは、前記復号された第１のデータをスクランブリングすることをさらに備える請求項１に記載の方法。
【請求項８】
前記相関させることは、前記第３の信号の少なくとも一部を前記第２のシンボルの少なくとも一部と比較することを備える請求項１に記載の方法。
【請求項９】
前記送信機は、アクセスポイントを備える請求項１に記載の方法。
【請求項１０】
前記送信機は、アクセス端末を備える請求項１に記載の方法。
【請求項１１】
無線通信システムにおいて肯定応答メッセージを送信するための無線デバイスであって、
プロセッサと、
前記プロセッサと電子的に通信するメモリと、
前記メモリに格納された命令と、を備え、前記命令は、
送信機から第２の信号を受信する前に第１の信号を受信する、
復号された第１のデータを前記第１の信号から抽出する、
前記復号された第１のデータを符号化及び変調することによって第３の信号を生成する、
前記第２の信号を復調して第２のシンボルを生成する、及び
前記第３の信号を前記第２のシンボルと相関させるために前記プロセッサによって実行可能であり、
前記第３の信号および前記第２のシンボルは、異なる時間に受信された異なる信号から得られる、無線通信システムにおいて肯定応答メッセージを送信するための無線デバイス。
【請求項１２】
前記復号された第１のデータがデータ検査に合格した場合は肯定応答メッセージを前記送信機に送信するために実行可能な命令をさらに備える請求項１１に記載の無線デバイス。
【請求項１３】
前記相関が予め定義されたスレショルドを上回るかどうかを決定するために実行可能な命令をさらに備える請求項１２に記載の無線デバイス。
【請求項１４】
前記相関が前記予め定義されたスレショルドを上回る場合は前記肯定応答メッセージを前送信機に再送信するために実行可能な命令をさらに備える請求項１３に記載の無線デバイス。
【請求項１５】
前記相関が前記予め定義されたスレショルドを上回らない場合は、
前記第２のシンボルを復号する、
前記復号された第２のシンボルに対するデータ検査を行う、
前記復号された第２のシンボルが前記データ検査に合格した場合は第２の肯定応答メッセージを前記送信機に送信する、及び
前記復号された第２のシンボルが前記データ検査に合格しない場合は否定応答メッセージを送信するために実行可能な命令をさらに備える請求項１３に記載の無線デバイス。
【請求項１６】
抽出するために実行可能な前記命令は、前記第１の信号を復調及び復号するために実行可能な命令を備える請求項１１に記載の無線デバイス。
【請求項１７】
生成するために実行可能な前記命令は、前記復号された第１のデータをスクランブリングするために実行可能な命令をさらに備える請求項１１に記載の無線デバイス。
【請求項１８】
相関させるために実行可能な前記命令は、前記第３の信号の少なくとも一部を前記第２のシンボルの少なくとも一部と比較するために実行可能な命令を備える請求項１１に記載の無線デバイス。
【請求項１９】
前記無線デバイスは、アクセスポイントである請求項１１に記載の無線デバイス。
【請求項２０】
前記無線デバイスは、アクセス端末である請求項１１に記載の無線デバイス。
【請求項２１】
無線通信システムにおいて肯定応答メッセージを送信するための無線デバイスであって、
送信機から第２の信号を受信する前に第１の信号を受信するための手段と、
復号された第１のデータを前記第１の信号から抽出するための手段と、
前記復号された第１のデータを符号化及び変調することによって第３の信号を生成するための手段と、
前記第２の信号を復調して第２のシンボルを生成するための手段と、
前記第３の信号を前記第２のシンボルと相関させるための手段と、を備え、
前記第３の信号および前記第２のシンボルは、異なる時間に受信された異なる信号から得られる、無線通信システムにおいて肯定応答メッセージを送信するための無線デバイス。
【請求項２２】
前記復号された第１のデータがデータ検査に合格した場合は肯定応答メッセージを前記送信機に送信するための手段をさらに備える請求項２１に記載の無線デバイス。
【請求項２３】
前記相関が予め定義されたスレショルドを上回るかどうかを決定するための手段をさらに備える請求項２２に記載の無線デバイス。
【請求項２４】
前記相関が前記予め定義されたスレショルドを上回る場合は前記肯定応答メッセージを前記送信機に再送信するための手段をさらに備える請求項２３に記載の無線デバイス。
【請求項２５】
前記相関が前記予め定義されたスレショルドを上回らない場合は、
前記第２のシンボルを復号するための手段と、
前記復号された第２のシンボルに対するデータ検査を行うための手段と、
前記復号された第２のシンボルが前記データ検査に合格した場合は第２の肯定応答メッセージを前記送信機に送信するための手段と、
前記復号された第２のシンボルが前記データ検査に合格しない場合は否定応答メッセージを送信するための手段と、をさらに備える請求項２３に記載の無線デバイス。
【請求項２６】
抽出するための前記手段は、前記第１の信号を復調及び復号するための手段を備える請求項２１に記載の無線デバイス。
【請求項２７】
生成するための前記手段は、前記復号された第１のデータをスクランブリングするための手段をさらに備える請求項２１に記載の無線デバイス。
【請求項２８】
相関させるための前記手段は、前記第３の信号の少なくとも一部を前記第２のシンボルの少なくとも一部と比較するための手段を備える請求項２１に記載の無線デバイス。
【請求項２９】
無線通信システムにおいて肯定応答メッセージを送信するためのコンピュータプログラム製品であって、
命令を有する非一時的なコンピュータによって読み取り可能な媒体を備え、前記命令は、
送信機から第２の信号を受信する前に第１の信号を受信するための符号と、
復号された第１のデータを前記第１の信号から抽出するための符号と、
前記復号された第１のデータを符号化及び変調することによって第３の信号を生成するための符号と、
前記第２の信号を復調して第２のシンボルを生成するための符号と、
前記第３の信号を前記第２のシンボルと相関させるための符号と、を備え、
前記第３の信号および前記第２のシンボルは、異なる時間に受信された異なる信号から得られる、無線通信システムにおいて肯定応答メッセージを送信するためのコンピュータプログラム製品。
【請求項３０】
前記復号された第１のデータがデータ検査に合格した場合は肯定応答メッセージを前記送信機に送信するための符号をさらに備える請求項２９に記載のコンピュータプログラム製品。
【請求項３１】
前記相関が予め定義されたスレショルドを上回るかどうかを決定するための符号をさらに備える請求項３０に記載のコンピュータプログラム製品。
【請求項３２】
前記相関が前記予め定義されたスレショルドを上回る場合は前記肯定応答メッセージを前送信機に再送信するための符号をさらに備える請求項３１に記載のコンピュータプログラム製品。
【請求項３３】
前記相関が前記予め定義されたスレショルドを上回らない場合は、
前記第２のシンボルを復号するための符号と、
前記復号された第２のシンボルに対するデータ検査を行うための符号と、
前記復号された第２のシンボルが前記データ検査に合格した場合は第２の肯定応答メッセージを前記送信機に送信するための符号と、
前記復号された第２のシンボルが前記データ検査に合格しない場合は否定応答メッセージを送信するための符号と、をさらに備える請求項３１に記載のコンピュータプログラム製品。
【請求項３４】
抽出するための前記符号は、前記第１の信号を復調及び復号するための符号を備える請求項２９に記載のコンピュータプログラム製品。
【請求項３５】
生成するための前記符号は、前記復号された第１のデータをスクランブリングするための符号をさらに備える請求項２９に記載のコンピュータプログラム製品。
【請求項３６】
相関させるための前記符号は、前記第３の信号の少なくとも一部を前記第２のシンボルの少なくとも一部と比較するための符号を備える請求項２９に記載のコンピュータプログラム製品。
【手続補正２】
【補正対象書類名】明細書
【補正対象項目名】００６１
【補正方法】変更
【補正の内容】
【００６１】
請求項は、上述される正確な構成及び構成要素に限定されないことが理解されるべきである。ここにおいて説明されるシステム、方法、及び装置の配置、動作及び詳細は、請求項の適用範囲を逸脱することなしに様々な修正、変更及び変形を行うことが可能である。
以下に、本願出願の当初の特許請求の範囲に記載された発明を付記する。
［Ｃ１］
無線通信システムにおいて肯定応答メッセージを送信するための方法であって、
送信機から第２の信号を受信する前に第１の信号を受信することと、
復号された第１のデータを前記第１の信号から抽出することと、
前記復号された第１のデータを符号化及び変調することによって第３の信号を生成することと、
前記第２の信号を復調して第２のシンボルを生成することと、
前記第３の信号を前記第２のシンボルと相関させること、とを備える、無線通信システムにおいて肯定応答メッセージを送信するための方法。
［Ｃ２］
前記復号された第１のデータがデータ検査に合格した場合は肯定応答メッセージを前記送信機に送信することをさらに備えるＣ１に記載の方法。
［Ｃ３］
前記相関が予め定義されたスレショルドを上回るかどうかを決定することをさらに備えるＣ２に記載の方法。
［Ｃ４］
前記相関が前記予め定義されたスレショルドを上回る場合は前記肯定応答メッセージを前送信機に再送信することをさらに備えるＣ３に記載の方法。
［Ｃ５］
前記相関が前記予め定義されたスレショルドを上回らない場合は、
前記第２のシンボルを復号することと、
前記復号された第２のシンボルに対するデータ検査を行うことと、
前記復号された第２のシンボルが前記データ検査に合格した場合は第２の肯定応答メッセージを前記送信機に送信することと、
前記復号された第２のシンボルが前記データ検査に合格しない場合は否定応答メッセージを送信すること、とをさらに備えるＣ３に記載の方法。
［Ｃ６］
前記抽出することは、前記第１の信号を復調することと復号することとを備えるＣ１に記載の方法。
［Ｃ７］
前記生成することは、前記復号された第１のデータをスクランブリングすることをさらに備えるＣ１に記載の方法。
［Ｃ８］
前記相関させることは、前記第３の信号の少なくとも一部を前記第２のシンボルの少なくとも一部と比較することを備えるＣ１に記載の方法。
［Ｃ９］
前記送信機は、アクセスポイントを備えるＣ１に記載の方法。
［Ｃ１０］
前記送信機は、アクセス端末を備えるＣ１に記載の方法。
［Ｃ１１］
無線通信システムにおいて肯定応答メッセージを送信するための無線デバイスであって、
プロセッサと、
前記プロセッサと電子的に通信するメモリと、
前記メモリに格納された命令と、を備え、前記命令は、
送信機から第２の信号を受信する前に第１の信号を受信する、
復号された第１のデータを前記第１の信号から抽出する、
前記復号された第１のデータを符号化及び変調することによって第３の信号を生成する、
前記第２の信号を復調して第２のシンボルを生成する、及び
前記第３の信号を前記第２のシンボルと相関させるように前記プロセッサによって実行可能である、無線通信システムにおいて肯定応答メッセージを送信するための無線デバイス
［Ｃ１２］
前記復号された第１のデータがデータ検査に合格した場合は肯定応答メッセージを前記送信機に送信するために実行可能な命令をさらに備えるＣ１１に記載の無線デバイス。
［Ｃ１３］
前記相関が予め定義されたスレショルドを上回るかどうかを決定するために実行可能な命令をさらに備えるＣ１２に記載の無線デバイス。
［Ｃ１４］
前記相関が前記予め定義されたスレショルドを上回る場合は前記肯定応答メッセージを前送信機に再送信するために実行可能な命令をさらに備えるＣ１３に記載の無線デバイス。
［Ｃ１５］
前記相関が前記予め定義されたスレショルドを上回らない場合は、
前記第２のシンボルを復号する、
前記復号された第２のシンボルに対するデータ検査を行う、
前記復号された第２のシンボルが前記データ検査に合格した場合は第２の肯定応答メッセージを前記送信機に送信する、及び
前記復号された第２のシンボルが前記データ検査に合格しない場合は否定応答メッセージを送信するように実行可能な命令をさらに備えるＣ１３に記載の無線デバイス。
［Ｃ１６］
抽出するために実行可能な前記命令は、前記第１の信号を復調及び復号するために実行可能な命令を備えるＣ１１に記載の無線デバイス。
［Ｃ１７］
生成するために実行可能な前記命令は、前記復号された第１のデータをスクランブリングするために実行可能な命令をさらに備えるＣ１１に記載の無線デバイス。
［Ｃ１８］
相関させるために実行可能な前記命令は、前記第３の信号の少なくとも一部を前記第２のシンボルの少なくとも一部と比較するために実行可能な命令を備えるＣ１１に記載の無線デバイス。
［Ｃ１９］
前記無線デバイスは、アクセスポイントであるＣ１１に記載の無線デバイス。
［Ｃ２０］
前記無線デバイスは、アクセス端末であるＣ１１に記載の無線デバイス。
［Ｃ２１］
無線通信システムにおいて肯定応答メッセージを送信するための無線デバイスであって、
送信機から第２の信号を受信する前に第１の信号を受信するための手段と、
復号された第１のデータを前記第１の信号から抽出するための手段と、
前記復号された第１のデータを符号化及び変調することによって第３の信号を生成するための手段と、
前記第２の信号を復調して第２のシンボルを生成するための手段と、
前記第３の信号を前記第２のシンボルと相関させるための手段と、を備える、無線通信システムにおいて肯定応答メッセージを送信するための無線デバイス。
［Ｃ２２］
前記復号された第１のデータがデータ検査に合格した場合は肯定応答メッセージを前記送信機に送信するための手段をさらに備えるＣ２１に記載の無線デバイス。
［Ｃ２３］
前記相関が予め定義されたスレショルドを上回るかどうかを決定するための手段をさらに備えるＣ２２に記載の無線デバイス。
［Ｃ２４］
前記相関が前記予め定義されたスレショルドを上回る場合は前記肯定応答メッセージを前記送信機に再送信するための手段をさらに備えるＣ２３に記載の無線デバイス。
［Ｃ２５］
前記相関が前記予め定義されたスレショルドを上回らない場合は、
前記第２のシンボルを復号するための手段と、
前記復号された第２のシンボルに対するデータ検査を行うための手段と、
前記復号された第２のシンボルが前記データ検査に合格した場合は第２の肯定応答メッセージを前記送信機に送信するための手段と、
前記復号された第２のシンボルが前記データ検査に合格しない場合は否定応答メッセージを送信するための手段と、をさらに備えるＣ２３に記載の無線デバイス。
［Ｃ２６］
抽出するための前記手段は、前記第１の信号を復調及び復号するための手段を備えるＣ２１に記載の無線デバイス。
［Ｃ２７］
生成するための前記手段は、前記復号された第１のデータをスクランブリングするための手段をさらに備えるＣ２１に記載の無線デバイス。
［Ｃ２８］
相関させるための前記手段は、前記第３の信号の少なくとも一部を前記第２のシンボルの少なくとも一部と比較するための手段を備えるＣ２１に記載の無線デバイス。
［Ｃ２９］
無線通信システムにおいて肯定応答メッセージを送信するためのコンピュータプログラム製品であって、
命令を有するコンピュータによって読み取り可能な媒体を備え、前記命令は、
送信機から第２の信号を受信する前に第１の信号を受信するための符号と、
復号された第１のデータを前記第１の信号から抽出するための符号と、
前記復号された第１のデータを符号化及び変調することによって第３の信号を生成するための符号と、
前記第２の信号を復調して第２のシンボルを生成するための符号と、
前記第３の信号を前記第２のシンボルと相関させるための符号と、を備える、無線通信システムにおいて肯定応答メッセージを送信するためのコンピュータプログラム製品。
［Ｃ３０］
前記復号された第１のデータがデータ検査に合格した場合は肯定応答メッセージを前記送信機に送信するための符号をさらに備えるＣ２９に記載のコンピュータプログラム製品。
［Ｃ３１］
前記相関が予め定義されたスレショルドを上回るかどうかを決定するための符号をさらに備えるＣ３０に記載のコンピュータプログラム製品。
［Ｃ３２］
前記相関が前記予め定義されたスレショルドを上回る場合は前記肯定応答メッセージを前送信機に再送信するための符号をさらに備えるＣ３１に記載のコンピュータプログラム製品。
［Ｃ３３］
前記相関が前記予め定義されたスレショルドを上回らない場合は、
前記第２のシンボルを復号するための符号と、
前記復号された第２のシンボルに対するデータ検査を行うための符号と、
前記復号された第２のシンボルが前記データ検査に合格した場合は第２の肯定応答メッセージを前記送信機に送信するための符号と、
前記復号された第２のシンボルが前記データ検査に合格しない場合は否定応答メッセージを送信するための符号と、をさらに備えるＣ３１に記載のコンピュータプログラム製品。
［Ｃ３４］
抽出するための前記符号は、前記第１の信号を復調及び復号するための符号を備えるＣ２９に記載のコンピュータプログラム製品。
［Ｃ３５］
生成するための前記符号は、前記復号された第１のデータをスクランブリングするための符号をさらに備えるＣ２９に記載のコンピュータプログラム製品。
［Ｃ３６］
相関させるための前記符号は、前記第３の信号の少なくとも一部を前記第２のシンボルの少なくとも一部と比較するための符号を備えるＣ２９に記載のコンピュータプログラム製品。